【手続補正書】
【提出日】令和1年7月12日(2019.7.12)
【手続補正１】
【補正対象書類名】特許請求の範囲
【補正対象項目名】全文
【補正方法】変更
【補正の内容】
【特許請求の範囲】
【請求項１】
表示タイミングに同期して表示パネルのゲート線の選択を制御するように構成されたゲート線制御部と、
前記表示パネルの前記ゲート線に交差するように配置されたソース線に駆動信号を供給するように構成されたソース駆動部と、
前記ゲート線制御部及び前記ソース駆動部を制御する制御部と、
を備え、
前記ゲート線制御部は、前記表示パネルの奇数番目のゲート線の選択を制御するために用いられる奇数用ゲート線制御信号と偶数番目のゲート線の選択を制御するために用いられる偶数用ゲート線制御信号とを別々に出力し、
前記制御部は、
ノンインタレースモードの指定に応答してゲート線単位で前記奇数用ゲート線制御信号と前記偶数用ゲート線制御信号を順次に活性化する制御を行い、
インタレースモードの指定に応答して奇数フィールド期間と偶数フィールド期間とを交互に設ける制御を行い、
インターバルインタレースモードの指定に応答して、交互に生成された前記奇数フィールド期間と前記偶数フィールド期間との隣接する２つの間のそれぞれに、ゲート休止期間を設ける制御を行うように構成され、
前記奇数フィールド期間において、前記偶数用ゲート線制御信号を非活性としながら前記奇数用ゲート線制御信号が順次に活性化され、
前記偶数フィールド期間において、前記奇数用ゲート線制御信号を非活性としながら前記偶数用ゲート線制御信号が順次に活性化され、
前記ゲート休止期間において、前記奇数用ゲート線制御信号と前記偶数用ゲート線制御信号との両方が非活性化される
表示制御デバイス。
【請求項２】
前記制御部が、前記ゲート休止期間に前記ソース駆動部への電源電圧の供給を遮断する制御を行うように構成された、
請求項１に記載の表示制御デバイス。
【請求項３】
前記制御部が、前記インタレースモード又は前記インターバルインタレースモードの何れかが指定されても、前記奇数フィールド期間において前記偶数用ゲート線制御信号を非活性とする期間に前記ソース駆動部への電源電圧の供給を遮断し、前記偶数フィールド期間において前記奇数用ゲート線制御信号を非活性とする期間に前記ソース駆動部への電源電圧の供給を遮断する制御を行うように構成された、
請求項１に記載の表示制御デバイス。
【請求項４】
ゲート休止期間データが書換え可能に設定される休止期間設定レジスタを更に備え、
前記制御部が、前記休止期間設定レジスタに設定された前記ゲート休止期間データに応じて前記ゲート休止期間の長さを制御するように構成された、
請求項１乃至３のいずれか１項に記載の表示制御デバイス。
【請求項５】
前記奇数用ゲート線制御信号は、前記奇数番目のゲート線の選択に用いられる奇数用シフトデータを、順次、奇数シフトレジスタの後段にシフトするための複数相の奇数用シフトクロック信号を含み、前記偶数用ゲート線制御信号は前記偶数番目のゲート線の選択に用いられる偶数用シフトデータを、順次、偶数シフトレジスタの後段にシフトするための複数相の偶数用シフトクロック信号を含み、
前記奇数用ゲート線制御信号と前記偶数用ゲート線制御信号の非活性化は、前記複数相の奇数用シフトクロック信号と前記複数相の偶数用シフトクロック信号の信号レベルの変化を停止することで達成される、
請求項１乃至４のいずれか１項に記載の表示制御デバイス。
【請求項６】
前記ソース駆動部は、各ゲート線に対応する表示期間毎に各ゲート線に対応するサブ画素に駆動信号をサブ画素の種別毎に駆動端子から時分割で出力し、
前記ゲート線制御部は、前記サブ画素の種類の対応する種類について、前記駆動信号が前記駆動端子から時分割で出力される出力期間を指定する出力同期信号を出力し、
前記制御部は、前記ノンインタレースモード、前記インタレースモード又は前記インターバルインタレースモードの何れが指定されても、或るゲート線に対応する表示期間において最後に出力された出力同期信号を、前記或るゲート線に隣接するゲート線に対応する表示期間において最初に出力し、前記或るゲート線に対応する表示期間において最後に出力された出力同期信号が、前記或るゲート線に隣接するゲート線に対応する表示期間の開始まで出力されたままに維持されるようにする制御を行う、
請求項１乃至５のいずれか１項に記載の表示制御デバイス。
【請求項７】
前記制御部が、前記インタレースモード又は前記インターバルインタレースモードの何れかの指定に応答して、前記奇数フィールド期間のそれぞれにおいて、前記奇数番目のゲート線のそれぞれに対応する表示期間において最後に出力された出力同期信号を、次の奇数番目のゲート線に対応する表示期間において最初に出力し、前記奇数番目のゲート線のそれぞれに対応する表示期間において最後に出力された出力同期信号を、前記次の奇数番目のゲート線に対応する表示期間の開始まで出力されたままに維持されるようにする制御と、前記偶数フィールド期間のそれぞれにおいて、前記偶数番目のゲート線のそれぞれに対応する表示期間において最後に出力された出力同期信号を、次の偶数番目のゲート線に対応する表示期間において最初に出力し、前記偶数番目のゲート線のそれぞれに対応する表示期間において最後に出力された出力同期信号を、前記次の偶数番目のゲート線に対応する表示期間の開始まで出力活性化されたままに維持されるようにする制御とを行うように構成された、
請求項６に記載の表示制御デバイス。
【請求項８】
表示パネルと、
表示制御デバイスと
を備え、
前記表示制御デバイスは、
表示タイミングに同期して前記表示パネルのゲート線の選択を制御するように構成されたゲート線制御部と、
前記表示パネルの前記ゲート線に交差するように配置されたソース線に並列的に駆動信号を供給するように構成されたソース駆動部と、
前記ゲート線制御部及び前記ソース駆動部を制御する制御部と、
を有し、
前記ゲート線制御部は、前記表示パネルの奇数番目のゲート線の選択を制御するために用いられる奇数用ゲート線制御信号と偶数番目のゲート線の選択を制御するために用いられる偶数用ゲート線制御信号とを別々に出力し、
前記制御部は、ノンインタレースモードの指定に応答してゲート線単位で前記奇数用ゲート線制御信号と前記偶数用ゲート線制御信号を順次に活性化する制御を行い、インタレースモードの指定に応答して奇数フィールド期間と、偶数フィールド期間とを交互に設ける制御を行い、インターバルインタレースモードの指定に応答して交互に生成された前記奇数フィールド期間と前記偶数フィールド期間との隣接する２つの間のそれぞれに、ゲート休止期間を設ける制御を行うように構成され、
前記奇数フィールド期間において、前記偶数用ゲート線制御信号を非活性としながら前記奇数用ゲート線制御信号が順次に活性化され、
前記偶数フィールド期間において、前記奇数用ゲート線制御信号を非活性としながら前記偶数用ゲート線制御信号が順次に活性化され、
前記ゲート休止期間において、前記奇数用ゲート線制御信号と前記偶数用ゲート線制御信号との両方が非活性化される
表示パネルモジュール。
【請求項９】
前記制御部が、前記ゲート休止期間に前記ソース駆動部への電源電圧の供給を遮断する制御を行うように構成された、
請求項８に記載の表示パネルモジュール。
【請求項１０】
前記制御部が、前記インタレースモード又は前記インターバルインタレースモードの何れかが指定されても、前記奇数フィールド期間において前記偶数用ゲート線制御信号を非活性とする期間に前記ソース駆動部への電源電圧の供給を遮断し、前記偶数フィールド期間において前記奇数用ゲート線制御信号を非活性とする期間に前記ソース駆動部への電源電圧の供給を遮断する制御を行うように構成された、
請求項８に記載の表示パネルモジュール。
【請求項１１】
ゲート休止期間データが書換え可能に設定される休止期間設定レジスタを更に備え、
前記制御部が、前記休止期間設定レジスタに設定された前記ゲート休止期間データに応じて前記ゲート休止期間の長さを制御するように構成された、
請求項８乃至１０のいずれか１項に記載の表示パネルモジュール。
【請求項１２】
前記表示パネルは、
奇数用シフトレジスタにおいてシフトされる奇数用シフトデータに応じて前記奇数番目のゲート線を選択するように構成された奇数用ゲートドライバと、
偶数用シフトレジスタにおいてシフトされる偶数用シフトデータに応じて前記偶数番目のゲート線を選択するように構成された偶数用ゲートドライバと、
を備え、
前記奇数用ゲート線制御信号は、前記奇数用シフトデータを、順次、前記奇数用シフトレジスタの後段にシフトするための複数相の奇数用シフトクロック信号を含み、
前記偶数用ゲート線制御信号は、前記偶数用シフトデータを、順次、前記偶数用シフトレジスタの後段にシフトするための複数相の偶数用シフトクロック信号を含み、
前記奇数用ゲート線制御信号と前記偶数用ゲート線制御信号の非活性化は、前記奇数用シフトクロック信号と前記偶数用シフトクロック信号の信号レベルの変化を停止することで達成される、
請求項８乃至１１のいずれか１項に記載の表示パネルモジュール。
【請求項１３】
前記ソース駆動部は、各ゲート線に対応する表示期間毎に各ゲート線に対応するサブ画素に駆動信号をサブ画素の種別毎に駆動端子から時分割で出力し、
前記ゲート線制御部は、前記サブ画素の種類の対応する種類について前記駆動信号が前記駆動端子から時分割で出力される出力期間を指定する出力同期信号を出力し、
前記表示パネルは、時分割で出力される前記駆動信号を前記駆動端子から各サブ画素に対応するソース線に振り分けるソース線スイッチ回路を有し、
前記ソース線スイッチ回路は、前記出力同期信号を、前記各サブ画素の種別毎のスイッチ制御信号として用い、
前記制御部は、前記ノンインタレースモード、前記インタレースモード又は前記インターバルインタレースモードの何れが指定されても、或るゲート線に対応する表示期間において最後に出力された出力同期信号を、前記或るゲート線に隣接するゲート線に対応する表示期間において最初に出力し、前記或るゲート線に対応する表示期間において最後に出力された出力同期信号を、前記或るゲート線に隣接するゲート線に対応する表示期間の開始まで出力されたまま維持されるようにする制御を行う、
請求項８乃至１２のいずれか１項に記載の表示パネルモジュール。
【請求項１４】
前記制御部が、前記インタレースモード又は前記インターバルインタレースモードの何れかの指定に応答して、前記奇数フィールド期間のそれぞれにおいて、前記奇数番目のゲート線のそれぞれに対応する表示期間において最後に出力された出力同期信号を、次の奇数番目のゲート線に対応する表示期間において最初に出力し、前記奇数番目のゲート線のそれぞれに対応する表示期間において最後に出力された出力同期信号を、前記次の奇数番目のゲート線に対応する表示期間の開始まで出力されたままに維持されるようにする制御と、前記偶数フィールド期間のそれぞれにおいて、前記偶数番目のゲート線のそれぞれに対応する表示期間において最後に出力された出力同期信号を、次の偶数番目のゲート線に対応する表示期間において最初に出力し、前記偶数番目のゲート線のそれぞれに対応する表示期間において最後に出力された出力同期信号を、前記次の偶数番目のゲート線に対応する表示期間の開始まで出力されたままに維持されるようにする制御とを行うように構成された、
請求項１３に記載の表示パネルモジュール。
【請求項１５】
表示タイミングに同期して表示パネルのゲート線の選択を制御するように構成されたゲート線制御部と、
表示パネルの前記ゲート線に交差するように配置されたソース線に駆動信号を供給するように構成されたソース駆動部と、
前記ゲート線制御部及び前記ソース駆動部を制御する制御部と、
を備え、
前記ゲート線制御部は、前記表示パネルの奇数番目のゲート線の選択を制御するために用いられる奇数用ゲート線制御信号と偶数番目のゲート線の選択を制御するために用いられる偶数用ゲート線制御信号とを別々に出力し、
前記制御部は、ノンインタレースモードの指定に応答してゲート線単位で前記奇数用ゲート線制御信号と前記偶数用ゲート線制御信号を順次活性化する制御を行い、インタレースモードの指定に応答して奇数フィールド期間と偶数フィールド期間とを交互に設ける制御を行い、
前記奇数フィールド期間において、前記奇数用ゲート線制御信号が順次に活性化され、前記偶数用ゲート線制御信号の活性化がマスクされ、
前記偶数フィールド期間において、前記偶数用ゲート線制御信号が順次に活性化され、前記奇数用ゲート線制御信号の活性化がマスクされ、
前記ソース駆動部は、各ゲート線に対応する表示期間毎に各ゲート線に対応するサブ画素に駆動信号をサブ画素の種別毎に駆動端子から時分割で出力し、
前記ゲート線制御部は、前記サブ画素の種類の対応する種類について、前記駆動信号が前記駆動端子から時分割で出力される出力期間を指定する出力同期信号を出力し、
前記制御部は、前記ノンインタレースモード又は前記インタレースモードの指定に応答して、前記奇数フィールド期間のそれぞれにおいて、前記奇数番目のゲート線のそれぞれに対応する表示期間において最後に出力された出力同期信号を、次の奇数番目のゲート線に対応する表示期間において最初に出力し、前記奇数番目のゲート線のそれぞれに対応する表示期間において最後に出力された出力同期信号を、前記次の奇数番目のゲート線に対応する表示期間の開始まで出力されたままに維持されるようにする制御と、
前記偶数フィールド期間のそれぞれにおいて、前記偶数番目のゲート線のそれぞれに対応する表示期間において最後に出力された出力同期信号を、次の偶数番目のゲート線に対応する表示期間において最初に出力し、前記偶数番目のゲート線のそれぞれに対応する表示期間において最後に出力された出力同期信号を、前記次の偶数番目のゲート線に対応する表示期間の開始まで出力されたままに維持されるようにする制御とを行うように構成された、
表示制御デバイス。
【請求項１６】
表示パネルと、表示制御デバイスと、
を備え、
前記表示制御デバイスは、
表示タイミングに同期して前記表示パネルのゲート線の選択を制御するように構成されたゲート線制御部と、
前記表示パネルの前記ゲート線に交差するように配置されたソース線に駆動信号を供給するように構成されたソース駆動部と、
前記ゲート線制御部及び前記ソース駆動部を制御する制御部と、
を備え、
前記ゲート線制御部は、前記表示パネルの奇数番目のゲート線の選択を制御するために用いられる奇数用ゲート線制御信号と偶数番目のゲート線の選択を制御するために用いられる偶数用ゲート線制御信号とを別々に出力し、
前記制御部は、ノンインタレースモードの指定に応答してゲート線単位で前記奇数用ゲート線制御信号と前記偶数用ゲート線制御信号を順次に活性化する制御を行い、インタレースモードの指定に応答して奇数フィールド期間と偶数フィールド期間とを交互に設ける制御を行い、
前記奇数フィールド期間において、前記奇数用ゲート線制御信号が順次に活性化され、前記偶数用ゲート線制御信号の活性化がマスクされ、
前記偶数フィールド期間において、前記偶数用ゲート線制御信号が順次に活性化され、前記奇数用ゲート線制御信号の活性化がマスクされ、
前記ソース駆動部は、各ゲート線に対応する表示期間毎に各ゲート線に対応するサブ画素に駆動信号をサブ画素の種別毎に駆動端子から時分割で出力し、
前記ゲート線制御部は、前記サブ画素の種類の対応する種類について、前記駆動信号が前記駆動端子から時分割で出力される出力期間を指定する出力同期信号を出力し、
前記表示パネルは、前記駆動端子から時分割で出力される前記駆動信号を各サブ画素に対応するソース線に振り分けるソース線スイッチ回路を有し、
前記ソース線スイッチ回路は、前記出力同期信号を、前記各サブ画素の種別毎のスイッチ制御信号として用い、
前記制御部は、前記奇数フィールド期間のそれぞれにおいて、前記奇数番目のゲート線のそれぞれに対応する表示期間において最後に出力された出力同期信号を、次の奇数番目のゲート線に対応する表示期間において最初に出力し、前記奇数番目のゲート線のそれぞれに対応する表示期間において最後に出力された出力同期信号を、前記次の奇数番目のゲート線に対応する表示期間の開始まで出力されたままに維持されるようにする制御と、前記偶数フィールド期間のそれぞれにおいて、前記偶数番目のゲート線のそれぞれに対応する表示期間において最後に出力された出力同期信号を、次の偶数番目のゲート線に対応する表示期間において最初に出力し、前記偶数番目のゲート線のそれぞれに対応する表示期間において最後に出力された出力同期信号を、前記次の偶数番目のゲート線に対応する表示期間の開始まで出力されたままに維持されるようにする制御とを行うように構成された、
表示パネルモジュール。
【手続補正２】
【補正対象書類名】明細書
【補正対象項目名】００１９
【補正方法】変更
【補正の内容】
【００１９】
〔６〕＜ゲート線毎の表示期間を跨いでイネーブルにされる出力同期信号＞
項１において、前記ソース駆動部は、１本のゲート線の表示期間（Ｈｏｄｄ，Ｈｅｖｎ）毎にその複数画素の画素信号をサブ画素の種別毎に駆動端子（Ｓ１〜Ｓｘ）から時分割で出力する。前記ゲート線制御部は、駆動端子から時分割で出力するサブ画素の種別毎にその出力期間に応ずる出力同期信号（ＯＤＤ＿ＳＷ１〜ＯＤＤ＿ＳＷ３、ＥＶＮ＿ＳＷ１〜ＥＶＮ＿ＳＷ３）を出力する。前記制御部は、前記ノンインタレースモード、インタレースモード又はインターバルインタレースモードの何れが指定されても、１本のゲート線の表示期間（Ｈｏｄｄ，Ｈｅｖｎ）毎に最後に出力される出力同期信号を次のゲート線の表示期間の最初の出力同期信号として前記ゲート線制御部に維持させる制御を行う。
【手続補正３】
【補正対象書類名】明細書
【補正対象項目名】００３３
【補正方法】変更
【補正の内容】
【００３３】
〔１３〕＜ゲート線毎の表示期間を跨いでイネーブルにされる出力同期信号＞
項８において、前記ソース駆動部は、１本のゲート線の表示期間毎にその複数画素の画素データをサブ画素の種別毎に駆動端子（Ｓ１〜Ｓｘ）から時分割で出力する。前記ゲート線制御部は、駆動端子から時分割で出力するサブ画素の種別毎にその出力期間に応ずる出力同期信号（ＯＤＤ＿ＳＷ１〜ＯＤＤ＿ＳＷ３、ＥＶＮ＿ＳＷ１〜ＥＶＮ＿ＳＷ３）を出力する。前記表示パネルは、前記駆動端子から時分割で出力される画素信号をサブ画素のソース線（Ｓ１＿Ｒ，Ｓ１＿Ｇ，Ｓ１＿Ｂ〜Ｓｘ＿Ｒ，Ｓｘ＿Ｇ，Ｓｘ＿Ｂ）に振り分けるソース線スイッチ回路（２３）を有し、ソース線スイッチ回路は出力同期信号をサブ画素の種別毎のスイッチ制御信号として用いる。前記制御部は、前記ノンインタレースモード、インタレースモード又はインターバルインタレースモードの何れが指定されても、１本のゲート線の表示期間（Ｈｏｄｄ，Ｈｅｖｎ）毎に最後に出力される出力同期信号を次のゲート線の表示期間の最初の出力同期信号として維持させる制御を行う。
【手続補正４】
【補正対象書類名】明細書
【補正対象項目名】００３７
【補正方法】変更
【補正の内容】
【００３７】
〔１５〕＜時分割供給されるサブ画素データに対するソース線への振り分け制御＞
表示制御デバイスは（１）、表示タイミングに同期して表示パネル（３）のゲート線（Ｇ１〜Ｇｎ）を選択制御するためのゲート線制御部（１０）と、表示パネルの前記ゲート線に交差的に配置されたソース線（Ｓ１＿Ｒ〜Ｓｘ＿Ｂ）に駆動信号を与えるソース駆動部（９）と、前記ゲート線制御部及びソース駆動部を制御する制御部（６）と、を有する。前記ゲート線制御部は、前記表示パネルの奇数番目のゲート線のための奇数用ゲート線制御信号（ＧＳ１）と偶数番目のゲート線のための偶数用ゲート線制御信号（ＧＳ２）とを別々に出力する。記制御部は、ノンインタレースモードの指定に応答してゲート線単位で前記奇数用ゲート線制御信号と偶数用ゲート線制御信号を順次交互に活性化する制御を行い、インタレースモードの指定に応答して前記奇数用ゲート線制御信号を順次活性化し偶数用ゲート線制御信号の活性化をマスクする奇数フィールド期間（ＡＣＴｏｄｄ）と、偶数用ゲート線制御信号を順次活性化し前記奇数用ゲート線制御信号の活性化をマスクする偶数フィールド期間（ＡＣＴｅｖｎ）とを交互に生成する制御を行う。前記ソース駆動部は、１本のゲート線の表示期間（Ｈｏｄｄ，Ｈｅｖｎ）毎にその複数画素の画素信号をサブ画素の種別毎に駆動端子（Ｓ１〜Ｓｘ）から時分割で出力する。前記ゲート線制御部は、駆動端子から時分割で出力するサブ画素の種別毎にその出力期間に応ずる出力同期信号（ＯＤＤ＿ＳＷ１〜ＯＤＤ＿ＳＷ３、ＥＶＮ＿ＳＷ１〜ＥＶＮ＿ＳＷ３）を出力する。前記制御部は、ノンインタレースモード又はインタレースモードの指定に応答して、前記奇数フィールド期間では奇数番目の各ゲート線の表示期間（Ｈｏｏｄ）に対応して最後に出力される出力同期信号を次の奇数番目のゲート線のための最初の出力同期信号として維持させ、前記偶数フィールド期間では偶数番目の各ゲート線の表示期間（Ｈｅｖｎ）に対応して最後に出力される出力同期信号を次の偶数番目のゲート線のための最初の出力同期信号として維持させる制御を行う。
【手続補正５】
【補正対象書類名】明細書
【補正対象項目名】００３９
【補正方法】変更
【補正の内容】
【００３９】
〔１６〕＜時分割供給されるサブ画素データに対するソース線への振り分け制御＞
表示パネルモジュールは、表示パネル（３）と、前記表示パネルのゲート線制御を行うと共に前記表示パネルのソース線（Ｓ１＿Ｒ〜Ｓｘ＿Ｂ）に駆動信号を与える表示制御デバイス（１）とを有する。前記表示制御デバイスは、表示タイミングに同期して表示パネルのゲート線（Ｇ１〜Ｇｎ）を選択制御するゲート線制御部（１０）と、表示パネルの前記ゲート線に交差的に配置されたソース線に並列的に駆動信号を与えるソース駆動部（９）と、前記ゲート線制御部及びソース駆動部を制御する制御部（６）と、を有する。前記ゲート線制御部は、前記表示パネルの奇数番目のゲート線のための奇数用ゲート線制御信号（ＧＳ１）と偶数番目のゲート線のための偶数用ゲート線制御信号（ＧＳ２）とを別々に出力する。前記制御部は、ノンインタレースモードの指定に応答してゲート線単位で前記奇数用ゲート線制御信号と偶数用ゲート線制御信号を順次交互に活性化する制御を行い、インタレースモードの指定に応答して前記奇数用ゲート線制御信号を順次活性化し偶数用ゲート線制御信号の活性化をマスクする奇数フィールド期間（ＡＣＴｏｄｄ）と、偶数用ゲート線制御信号を順次活性化し前記奇数用ゲート線制御信号の活性化をマスクする偶数フィールド期間（ＡＣＴｅｖｎ）とを交互に生成する制御を行う。前記ソース駆動部は、１本のゲート線の表示期間（Ｈｏｄｄ，Ｈｅｖｎ）毎にその複数画素の画素信号をサブ画素の種別毎に駆動端子（Ｓ１〜Ｓｘ）から時分割で出力する。前記ゲート線制御部は、駆動端子から時分割で出力するサブ画素の種別毎にその出力期間に応ずる出力同期信号を（ＯＤＤ＿ＳＷ１〜ＯＤＤ＿ＳＷ３、ＥＶＮ＿ＳＷ１〜ＥＶＮ＿ＳＷ３）出力する。前記表示パネルは、前記駆動端子から時分割で出力される画素データをサブ画素のソース線（Ｓ１＿Ｒ，Ｓ１＿Ｇ，Ｓ１＿Ｂ〜Ｓｘ＿Ｒ，Ｓｘ＿Ｇ，Ｓｘ＿Ｂ）に振り分けるソース線スイッチ回路（２３）を有し、ソース線スイッチ回路は出力同期信号をサブ画素の種別毎のスイッチ制御信号として用いる。前記制御部は、前記奇数フィールド期間では奇数番目の各ゲート線の表示期間（Ｈｏｏｄ）に対応して最後に出力される出力同期信号を次の奇数番目のゲート線のための最初の出力同期信号として維持させ、前記偶数フィールド期間では偶数番目の各ゲート線の表示期間（Ｈｅｖｎ）に対応して最後に出力される出力同期信号を次の偶数番目のゲート線のための最初の出力同期信号として維持させる制御を行う。
【手続補正６】
【補正対象書類名】明細書
【補正対象項目名】００５３
【補正方法】変更
【補正の内容】
【００５３】
図４に例示されるように、駆動端子Ｓ１〜Ｓｘから出力された駆動電圧信号Ｖ１〜Ｖｘは表示パネル３のソース線スイッチ回路２３に供給される。ソース線スイッチ回路２３は、サブ画素のＲ，Ｇ，Ｂの種別毎に前記駆動端子Ｓ１〜Ｓｘから時分割で供給された駆動信号Ｖ１〜Ｖｘをサブ画素の種別毎にサブ画素のソース線Ｓ１＿Ｒ，Ｓ１＿Ｇ，Ｓ１＿Ｂ〜Ｓｘ＿Ｒ，Ｓｘ＿Ｇ，Ｓｘ＿Ｂに振り分ける。ソース線スイッチ回路２３は駆動信号Ｖ１〜Ｖｘの夫々１個に対して３個のソース線スイッチＳＷ１、ＳＷ２，ＳＷ３を有し、時分割で供給されるＲ，Ｇ，Ｂの各駆動電圧信号Ｖ１〜ＶｘをＲ，Ｇ，Ｂに対応するソース線に振り分け可能にされる。ソース線スイッチＳＷ１は出力同期信号ＤＤＤ＿ＳＷ１とＥＶＮ＿ＳＷ１のワイヤードオア又は論理和でスイッチ制御され、ソース線スイッチＳＷ２は出力同期信号ＯＤＤ＿ＳＷ２とＥＶＮ＿ＳＷ２のワイヤードオア又は論理和でスイッチ制御され、ソース線スイッチＳＷ３は出力同期信号ＯＤＤ＿ＳＷ３とＥＶＮ＿ＳＷ３のワイヤードオア又は論理和でスイッチ制御される。
【手続補正７】
【補正対象書類名】明細書
【補正対象項目名】００５４
【補正方法】変更
【補正の内容】
【００５４】
ゲート線制御部１０は、図１及び図２に例示されるように、表示パネル３の奇数番目のゲート線Ｇ１，Ｇ３，…Ｇｎ−１を選択するための２相のシフトクロックとしての奇数用ゲート線制御信号ＧＳ１（ＯＤＤ＿ＣＬＫ１，ＯＤＤ＿ＣＬＫ２）と、偶数番目のゲート線Ｇ２，Ｇ４，…Ｇｎを選択するための２相のシフトクロックとしての偶数用ゲート線制御信号ＧＳ２（ＥＶＮ＿ＣＬＫ１，ＥＶＮ＿ＣＬＫ２）を別々に生成してゲートドライバ２１、２２に供給する。奇数用ゲートドライバ２１に夫々供給されるシフトクロックとしての奇数用ゲート線制御信号ＯＤＤ＿ＣＬＫ１，ＯＤＤ＿ＣＬＫ２と、偶数用ゲートドライバ２２に夫々供給されるシフトクロックとしての偶数用ゲート線制御信号ＥＶＮ＿ＣＬＫ１，ＥＶＮ＿ＣＬＫ２は１８０度の位相差を有し、奇数番目のゲート線と偶数番目のゲート線が一緒に選択されないようになっている。即ち、奇数用ゲート線制御信号ＯＤＤ＿ＣＬＫ１，ＯＤＤ＿ＣＬＫ２と偶数用ゲート線制御信号ＥＶＮ＿ＣＬＫ１，ＥＶＮ＿ＣＬＫ２は順次交互に活性化される。図３に示されるように奇数用ゲート線制御信号ＯＤＤ＿ＣＬＫ１，ＯＤＤ＿ＣＬＫはゲートバッファ（ＧＢＵＦ１）１０Ａから出力され、偶数用ゲート線制御信号ＥＶＮ＿ＣＬＫ１，ＥＶＮ＿ＣＬＫ２はゲートバッファ（ＧＢＵＦ２）１０Ｂから出力される。
【手続補正８】
【補正対象書類名】図面
【補正対象項目名】図６
【補正方法】変更
【補正の内容】
【図６】
2018013575.tif 000001
【手続補正９】
【補正対象書類名】図面
【補正対象項目名】図７
【補正方法】変更
【補正の内容】
【図７】
2018013575.tif 000002
【手続補正１０】
【補正対象書類名】図面
【補正対象項目名】図９
【補正方法】変更
【補正の内容】
【図９】
2018013575.tif 000003